(57)【要約】【課題】リスト表示された番組情報の中の選択された番組情報の視認性を向上しつつ、選択番組情報に隣接した隣接番組情報の視認性が著しく低下してしまうのを防止することが可能な番組情報の表示制御装置を提供すること。【解決手段】本発明の一実施形態に係る番組情報の表示制御装置は、各チャンネルの番組情報を受信する受信手段と、前記各チャンネルの番組情報のリスト表示を制御する表示制御手段と、入力された一つの番組情報の選択指示に基づいて、前記リスト表示上の１つの番組情報を選択する選択手段と、前記選択手段により前記番組情報が選択されてから所定時間経過に基づいて、この選択された選択番組情報の第１の表示形式を第２の表示形式へ変更する表示形式変更手段と、を備える。【選択図】図３
2011078140.tif 000002
【特許請求の範囲】
【請求項１】
各チャンネルの番組情報を受信する受信手段と、
前記各チャンネルの番組情報を時間軸とチャンネル軸に沿ってリスト表示するように制御する表示制御手段と、
入力された一つの番組情報の選択指示に基づいて、前記リスト表示上の一つの番組情報を選択する選択手段と、
前記選択手段により前記番組情報が選択されてから所定時間経過に基づいて、この選択された選択番組情報の第１の表示形式を第２の表示形式へ変更する表示形式変更手段と、
を備え、
前記第１の表示形式は、第１の表示サイズで前記選択番組情報を表示する表示形式であり、
前記第２の表示形式は、前記第１の表示サイズより大きい第２の表示サイズで前記選択番組情報を表示する表示形式であり、
前記表示形式変更手段は、前記選択された一つの番組情報のチャンネルで番組情報を表示している領域において前記時間軸に沿って時間の進む方向に前記第１の表示サイズの表示エリアを伸長して、前記第１の表示サイズを前記第２の表示サイズへ変更する番組情報の表示制御装置。
【請求項２】
前記第１の表示形式は、番組開始時刻及び番組終了時刻のうちの少なくとも一方の時刻を含む表示形式であることを特徴とする請求項１に記載の番組情報の表示制御装置。
【請求項３】
前記第１の表示形式は、第１の表示サイズ且つ第１の情報量で前記選択番組情報を表示する表示形式であり、
前記第２の表示形式は、前記第１の表示サイズより大きい第２の表示サイズ且つ前記第１の情報量より多い第２の情報量で前記選択番組情報を表示する表示形式である、
ことを特徴とする請求項１に記載の番組情報の表示制御装置。
【請求項４】
前記第１の表示形式は、第１の表示サイズ且つ第１の文字サイズで前記選択番組情報を表示する表示形式であり、
前記第２の表示形式は、前記第１の表示サイズより大きい第２の表示サイズ且つ前記第１の文字サイズより大きい第２の文字サイズで前記選択番組情報を表示する表示形式である、
ことを特徴とする請求項１に記載の番組情報の表示制御装置。
【請求項５】
前記第１の表示形式は、前記選択番組情報以外の番組情報を覆い隠さない表示形式であり、
前記第２の表示形式は、前記選択番組情報以外の少なくとも一つの番組情報を覆い隠す表示形式である、
ことを特徴とする請求項１に記載の番組情報の表示制御装置。
【請求項６】
前記第１の表示形式は、前記選択番組情報以外の番組情報を覆い隠さない表示形式であり、
前記第２の表示形式は、前記選択番組情報が属するチャンネルの番組情報の少なくとも一つの番組情報を覆い隠す表示形式である、
ことを特徴とする請求項１に記載の番組情報の表示制御装置。
【請求項７】
受信した放送信号から、指定チャンネルの信号を選局する選局手段を備え、
前記表示制御手段は、前記選局信号に基づく映像表示及び前記番組情報のリスト表示を制御する、
ことを特徴とする請求項１に記載の映像受信装置。
【請求項８】
各チャンネルの番組情報を受信し、
前記各チャンネルの番組情報を時間軸とチャンネル軸に沿ってリスト表示するように制御し、
入力された一つの番組情報の選択指示に基づいて、前記リスト表示上の一つの番組情報を選択し、
前記番組情報が選択されてから所定時間経過に基づいて、この選択された選択番組情報の第１の表示形式を第２の表示形式へ変更する方法であって、
前記第１の表示形式は、第１の表示サイズで前記選択番組情報を表示する表示形式であり、
前記第２の表示形式は、前記第１の表示サイズより大きい第２の表示サイズで前記選択番組情報を表示する表示形式であり、
前記選択された一つの番組情報のチャンネルで番組情報を表示している領域において前記時間軸に沿って時間の進む方向に前記第１の表示サイズの表示エリアを伸長して、前記第１の表示サイズを前記第２の表示サイズへ変更する番組情報の表示制御方法。
【発明の詳細な説明】
【技術分野】
【０００１】
本発明は、各チャンネルの番組情報を受信し番組情報の表示を制御する番組情報の表示制御装置及び番組情報の表示制御方法に関する。
【背景技術】
【０００２】
近年、デジタルテレビ放送を記録したり再生したりすることが可能な記録再生装置が普及している。例えば、記録再生装置は、ＨＤＤ又はＤＶＤを使ってデジタルテレビ放送を記録する。ＨＤＤなどの情報記憶媒体の記憶容量は、年々増大している。このために、これらの情報記憶媒体を利用した記録再生装置、及びこれらの情報記憶媒体を利用した記録機能付きテレビジョン受信機は、多数の番組を記録することができる。
【０００３】
また、記録再生装置は、デジタルテレビ放送信号からサービス情報を取得し、このサービス情報に基づき番組リストの表示を制御することができ、さらに、テレビジョン受信機は、番組リストを表示することができる。例えば、テレビジョン受信機は、複数チャンネルの数時間分の番組リストを表示することができる。このような番組リストは、電子番組案内（ＥＰＧ）と呼ばれている。
【０００４】
また、番組内容表示欄において選択された表示内容を拡大表示する技術が開示されている（特許文献１参照）。同様に、カーソル移動キーにより選択された番組表示領域をポップアップする技術も開示されている（特許文献２参照）。
【先行技術文献】
【特許文献】
【０００５】
【特許文献１】特開２００６−１００９４９号公報（請求項９、段落番号００２４、図４など）
【特許文献２】特開２００７−１９９０６号公報（段落番号００２８−００２９、図３など）
【発明の概要】
【発明が解決しようとする課題】
【０００６】
しかしながら、上記したように、選択された表示内容が直ちに拡大表示されてしまうと、選択された表示内容に隣接して表示されていた他の表示内容が見えなくなってしまうことがある。同様に、選択された番組表示領域がポップアップされてしまうと、選択された番組表示領域に隣接して表示されていた他の番組表示領域が見えなくなってしまうことがある。
【０００７】
本発明の目的は、リスト表示された番組情報の中の選択された番組情報の視認性を向上しつつ、選択番組情報に隣接した隣接番組情報の視認性が著しく低下してしまうのを防止することが可能な番組情報の表示制御装置及び番組情報の表示制御方法を提供することにある。
【課題を解決するための手段】
【０００８】
本発明の一実施形態に係る番組情報の表示制御装置は、各チャンネルの番組情報を受信する受信手段と、前記各チャンネルの番組情報のリスト表示を制御する表示制御手段と、入力された一つの番組情報の選択指示に基づいて、前記リスト表示上の１つの番組情報を選択する選択手段と、前記選択手段により前記番組情報が選択されてから所定時間経過に基づいて、この選択された選択番組情報の第１の表示形式を第２の表示形式へ変更する表示形式変更手段と、を備える。
【０００９】
本発明の一実施形態に係る番組情報の表示制御方法は、各チャンネルの番組情報を受信し、前記各チャンネルの番組情報のリスト表示を制御し、入力された一つの番組情報の選択指示に基づいて、前記リスト表示上の１つの番組情報を選択し、前記番組情報が選択されてから所定時間経過に基づいて、この選択された選択番組情報の第１の表示形式を第２の表示形式へ変更する。
【発明の効果】
【００１０】
本発明によれば、リスト表示された番組情報の中の選択された番組情報の視認性を向上しつつ、選択番組情報に隣接した隣接番組情報の視認性が著しく低下してしまうのを防止することが可能な番組情報の表示制御装置及び番組情報の表示制御方法を提供できる。
【図面の簡単な説明】
【００１１】
【図１】本発明の一実施形態に係るデジタルテレビジョン放送受信装置（映像受信装置）の概略構成を示す図である。
【図２】各チャンネルの番組情報のリスト表示の一例を示す図であり、リスト表示中の選択直後の所定番組情報の表示の一例を示す図である。
【図３】各チャンネルの番組情報のリスト表示の一例を示す図であり、リスト表示中の選択から所定時間経過後の所定番組情報の表示の一例を示す図である。
【発明を実施するための形態】
【００１２】
以下、図面を参照し、本発明の実施形態について説明する。
【００１３】
図１は、本発明の一実施形態に係るデジタルテレビジョン放送受信装置（映像受信装置）の概略構成を示す図である。図１に示すように、デジタルテレビジョン放送受信装置１は、アンテナ１０１、入力端子１０２、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ端子１２８、ＨＤＭＩインターフェース１２９、映像表示部１４１、及びスピーカ１４２を備えている。
【００１４】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した地上デジタルテレビジョン放送の番組表を受信し、表示することができる。また、ＢＳ／ＣＳデジタルテレビジョン放送用のチューナーにより、ＢＳ／ＣＳデジタルテレビジョン放送に対応した番組表の表示を受信し、表示することもできる。
【００１５】
また、本実施形態では、図１に示すように、デジタルテレビジョン放送受信装置１が、映像表示部１４１及びスピーカ１４２を備えるケースについて説明する。つまり、本発明の番組情報の表示制御装置が、映像表示部１４１及びスピーカ１４２を備えるケースについて説明する。しかしながら、本発明の番組情報の表示制御装置は、このような構成に限定されるものではない。例えば、本発明の番組情報の映像制御装置は、映像表示部１４１及びスピーカ１４２を構成に含まない構成であってもよい。言い換えると、本発明の番組情報の映像制御装置は、ＨＤＭＩ等の接続手段を介して映像表示部１４１及びスピーカ１４２と接続する構成であってもよい。
【００１６】
以下、デジタルテレビジョン放送受信装置１の詳細について説明する。
【００１７】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１８】
ここで、上記信号処理モジュール１０８は、ＯＦＤＭ復調モジュールから供給されたデジタルの映像信号及び音声信号に対して、選択的に所定のデジタル信号処理を施し、グラフィック処理モジュール１１２及び音声処理モジュール１１４に出力している。
【００１９】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信装置１の外部から入力可能とするものである。
【００２０】
そして、この信号処理モジュール１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理モジュール１１２及び音声処理モジュール１１４に出力している。
【００２１】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２２】
そして、グラフィック処理モジュール１１２から出力されたデジタルの映像信号は、映像処理モジュール１１３に供給される。映像処理モジュール１１３により処理された映像信号は、映像表示部１４１に供給される。映像表示部１４１は、映像信号に基づく映像を表示する。
【００２３】
また、上記音声処理モジュール１１４は、入力されたデジタルの音声信号を、スピーカ１４２で再生可能なフォーマットのアナログ音声信号に変換した後、スピーカ１４２に出力して音声再生させる。
【００２４】
ここで、このデジタルテレビジョン放送受信装置１は、上記した各種の受信動作を含むその全ての動作をコントローラ１１０によって統括的に制御されている。コントローラ１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２５】
また、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２６】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２７】
また、上記コントローラ１１０は、通信インターフェース１２３を介してＬＡＮ端子１２２と接続されている。これにより、コントローラ１１０は、ＬＡＮ端子２１に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００２８】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２９】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３０】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３１】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３２】
さらに、上記コントローラ１１０は、チューナー部１０３により選局されデスクランブルされた放送信号を、ＬＡＮ端子１２２又はＵＳＢ端子１２４を介して接続されたＨＤＤ等へ録画するための録画動作を制御することもできる。なお、上記したように、チューナー部１０３は、複数のチューナーを備えているので、同時に、複数チャンネルの番組を録画したり、複数チャンネルの番組を表示したりすることができる。例えば、デジタルテレビジョン放送受信装置１は、ハイビジョンレベルの画質で複数チャンネルの１週間分の全番組を録画することが可能となる。このような録画をマルチ同時録画と称する。なお、デジタルテレビジョン放送受信装置１は、上記したマルチ同時録画を実現するために、複数チャンネルに対応した複数チューナを備えており、更に、スクランブル放送に対応するために、複数チューナに対応した複数のデスクランブル用のカードを挿入するための複数のカードスロットも備えている。
【００３３】
次に、図２及び図３を参照し、番組リストの表示制御について説明する。デジタルテレビジョン放送受信装置１は、アンテナ１０１を介して地上デジタルテレビジョン放送の信号を受信し、信号処理モジュールは、受信信号からサービス情報を検出することができる。サービス情報には、例えば、８日分の各チャンネルの番組情報が含まれる。
【００３４】
ＯＳＤ信号生成モジュール１１１は、各チャンネルの番組情報及び所定番組情報（所定番組の欄）の選択指示に基づき、例えば図２に示す第１の番組リストを表示するためのＯＳＤ信号（第１の表示情報）を生成する。或いは、ＯＳＤ信号生成モジュール１１１は、各チャンネルの番組情報及び所定番組情報（所定番組の欄）が選択されてから、新たな選択指示が無く且つ所定時間経過したことに対応して、例えば図３に示す第２の番組リストを表示するためのＯＳＤ信号（第２の表示情報）を生成する。
【００３５】
例えば、図２及び図３に示すように、第１及び第２の番組リストは、６時間の時間範囲に対応した各チャンネルの番組情報を含む。例えば、第１及び第２の番組リストに含まれた１番組の番組情報は、タイトル及び番組内容の情報を含む。さらに、第１及び第２の番組リストの最上段は、各チャンネルの現在放送されている映像、各チャンネルのチャンネル番号、各チャンネルのチャンネルロゴ、及び各チャンネルのチャンネル名などの情報を含む。さらに、第１及び第２の番組リストの左端は、２本の録画バーを含む。これら２本の録画バーにより、ユーザーが番組単位で録画予約を指定した時間帯が示される。なお、これら２本の録画バーで表示される録画は、番組指定録画であり、上記したマルチ同時録画とは異なる。さらに、第１及び第２の番組リストの右端は、現在日時情報（例えば１０／１３（金）ＰＭ５：１３）を含む。また、第１及び第２の番組リストは、番組リストの表示前に選択されていたチャンネル（例えばチャンネル５、ＤＤＤＴＶ）を他のチャンネルと区別して表示する。
【００３６】
例えば、番組リストが表示された状態で、ユーザーは、リモートコントローラ１１６に設けられたカーソル移動ボタンなどを操作し、番組リスト上の１番組（１番組の欄）を選択することができる。コントローラ１１０は、リモートコントローラ１１６からの選択指示に基づき、番組リスト上の１つの番組を選択し、ＯＳＤ信号生成モジュール１１１は、この番組の選択に対応して、選択番組情報ＳＰの表示形式を標準表示形式から第１の表示形式へ変更する（図２参照）。
【００３７】
例えば、標準表示形式は、第１の色（例えば黒）で文字を表示し、第２の色（例えば白）で文字の背景を表示する表示形式である。図２に示す番組リストの選択番組情報ＳＰ以外の非選択番組情報は、標準表示形式で表示される。第１の表示形式は、第３の色（例えば黒）で文字を表示し、第４の色（例えば緑又は青）で文字の背景を表示する表示形式である。図２に示す番組リストの選択番組情報ＳＰは、第１の表示形式で表示される。また、標準表示形式は、番組タイトル及び番組内容の一部を含む。第１の表示形式は、番組放送開示時刻と番組放送終了時刻、番組タイトル、及び番組内容の一部を含む。なお、第１の表示形式は、番組放送開示時刻と番組放送終了時刻のうちの少なくとも一方の時刻を含む表示形式であってもよい。
【００３８】
さらに、ＯＳＤ信号生成モジュール１１１は、選択番組情報ＳＰが選択されてから、新たなカーソル移動指示が無く且つ所定時間経過したことに対応して、選択番組情報ＳＰの表示形式を第１の表示形式から第２の表示形式へ変更する（図２に示す選択番組情報ＳＰは図３に示す選択番組情報ＳＰ’へ更新される）。所定時間は、例えば、２、３秒である。なお、所定時間として、１〜６０秒の範囲で任意の時間を設定することができる。また、選択番組情報ＳＰの表示形式を第１の表示形式から第２の表示形式へ変更するとき、選択番組情報ＳＰ（１つの番組情報）の領域が下に延びて拡がっていく動作をアニメーションで表示することもできる。つまり、ＯＳＤ信号生成モジュール１１１は、このようなアニメーション表示のためのＯＳＤ信号を生成することもできる。或いは、選択番組情報ＳＰの表示形式を第１の表示形式から第２の表示形式へ変更するとき、選択番組情報ＳＰ（１つの番組情報）の領域が、瞬間に延びるように表示してもよい。
【００３９】
例えば、第１の表示形式は、第１の表示サイズで選択番組情報ＳＰを表示する表示形式であり、第２の表示形式は、第１の表示サイズより大きい第２の表示サイズで選択番組情報ＳＰ’を表示する表示形式である。なお、標準表示形式は、第１の表示サイズで番組情報を表示する表示形式である。
【００４０】
或いは、第１の表示形式は、第１の表示サイズ且つ第１の情報量で選択番組情報ＳＰを表示する表示形式であり、第２の表示形式は、第１の表示サイズより大きい第２の表示サイズ且つ第１の情報量より多い第２の情報量で選択番組情報ＳＰ’を表示する表示形式である。なお、標準表示形式は、第１の情報量で番組情報を表示する表示形式である。
【００４１】
或いは、第１の表示形式は、第１の表示サイズ且つ第１の文字サイズで選択番組情報ＳＰを表示する表示形式であり、第２の表示形式は、第１の表示サイズより大きい第２の表示サイズ且つ第１の文字サイズより大きい第２の文字サイズで選択番組情報ＳＰ’を表示する表示形式である。なお、標準表示形式は、第１の文字サイズで番組情報を表示する表示形式である。
【００４２】
或いは、第１の表示形式は、第１の表示サイズ且つ第１の情報量且つ第１の文字サイズで選択番組情報ＳＰを表示する表示形式であり、第２の表示形式は、第１の表示サイズより大きい第２の表示サイズ且つ第１の情報量より多い第２の情報量且つ第１の文字サイズより大きい第２の文字サイズで選択番組情報ＳＰ’を表示する表示形式である。なお、標準表示形式は、第１の表示サイズ且つ第１の情報量且つ第１の文字サイズで番組情報を表示する表示形式である。
【００４３】
上記したように、選択番組情報ＳＰは、第１の表示サイズで表示され、選択番組情報ＳＰ’は、第１の表示サイズより大きい第２の表示サイズで表示される。このため、選択番組情報ＳＰは、この選択番組情報ＳＰ以外の番組情報を覆い隠さないが、選択番組情報ＳＰ’は、この選択番組情報ＳＰ’以外の少なくとも一つの番組情報を覆い隠してしまうことがある。より具体的には、選択番組情報ＳＰ’は、この選択番組情報ＳＰ’が属するチャンネルの番組情報の少なくとも一つの番組情報を覆い隠してしまうことがある。
【００４４】
上記したように、デジタルテレビジョン放送受信装置は、選択番組情報ＳＰが選択されてから、新たなカーソル移動指示が無く且つ所定時間経過すると、選択番組情報ＳＰの第１の表示形式を第２の表示形式へ変更する。言い換えると、デジタルテレビジョン放送受信装置は、選択番組情報ＳＰの選択直後は、選択番組情報ＳＰを第１の表示形式で表示する。これにより、選択番組情報ＳＰの選択直後においては、ユーザーは、選択番組情報ＳＰ（第１の表示形式）と、選択番組情報ＳＰ以外の番組情報（標準表示形式）とを区別して、これら選択番組情報ＳＰと選択番組情報ＳＰ以外の番組情報の内容を確認することができ、しかも他の番組情報が覆い隠されないので、選択番組情報ＳＰ以外の番組情報も視認性良く確認することができる。その上で、選択番組情報ＳＰが選択されてから、新たなカーソル移動指示が無く且つ所定時間経過後においては、ユーザーは、選択番組情報ＳＰ’（第２の表示形式）の内容を詳しく見ることができたり、選択番組情報ＳＰ’の内容を大きい文字サイズで見ることができたりする。
【００４５】
選択番組情報ＳＰの選択直後に、選択番組情報ＳＰの表示形式を第１の表示形式から第２の表示形式へ変更してしまうと、他の番組情報が覆い隠されてしまい、他の番組情報が確認し難くなる。本実施形態のデジタルテレビジョン放送受信装置は、このような不具合を防止することができる。
【００４６】
近年、デジタル化に伴い、多チャンネル化が進んでおり、番組表は一覧性を向上させるため、一画面に多くのチャンネル及び時間帯を表示する傾向にある。そのため、一つの番組に対応した番組情報の表示領域は縮小傾向にあり、短時間の番組などに対応した番組情報が不十分になることがある。本実施形態のデジタルテレビジョン放送受信装置は、所定番組に対応した所定番組情報（所定番組の欄）を選択してから、新たなカーソル移動操作が無く且つ所定時間経過後に、所定番組情報の表示範囲を拡張するので、所定番組に対して十分な番組情報を提示することができる。
【００４７】
なお、上記したモジュールとは、ハードウェアで実現するものであっても良いし、ＣＰＵ等を使ってソフトウェアで実現するものであってもよい。
【００４８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４９】
以下に、本出願の出願当初の特許請求の範囲に記載された発明を付記する。
【００５０】
［１］
各チャンネルの番組情報を受信する受信手段と、
前記各チャンネルの番組情報のリスト表示を制御する表示制御手段と、
入力された一つの番組情報の選択指示に基づいて、前記リスト表示上の１つの番組情報を選択する選択手段と、
前記選択手段により前記番組情報が選択されてから所定時間経過に基づいて、この選択された選択番組情報の第１の表示形式を第２の表示形式へ変更する表示形式変更手段と、
を備えた番組情報の表示制御装置。
【００５１】
［２］
前記第１の表示形式は、番組開始時刻及び番組終了時刻のうちの少なくとも一方の時刻を含む表示形式であることを特徴とする［１］に記載の番組情報の表示制御装置。
【００５２】
［３］
前記第１の表示形式は、第１の表示サイズで前記選択番組情報を表示する表示形式であり、
前記第２の表示形式は、前記第１の表示サイズより大きい第２の表示サイズで前記選択番組情報を表示する表示形式である、
ことを特徴とする［１］に記載の番組情報の表示制御装置。
【００５３】
［４］
前記第１の表示形式は、第１の表示サイズ且つ第１の情報量で前記選択番組情報を表示する表示形式であり、
前記第２の表示形式は、前記第１の表示サイズより大きい第２の表示サイズ且つ前記第１の情報量より多い第２の情報量で前記選択番組情報を表示する表示形式である、
ことを特徴とする［１］に記載の番組情報の表示制御装置。
【００５４】
［５］
前記第１の表示形式は、第１の表示サイズ且つ第１の文字サイズで前記選択番組情報を表示する表示形式であり、
前記第２の表示形式は、前記第１の表示サイズより大きい第２の表示サイズ且つ前記第１の文字サイズより大きい第２の文字サイズで前記選択番組情報を表示する表示形式である、
ことを特徴とする［１］に記載の番組情報の表示制御装置。
【００５５】
［６］
前記第１の表示形式は、前記選択番組情報以外の番組情報を覆い隠さない表示形式であり、
前記第２の表示形式は、前記選択番組情報以外の少なくとも一つの番組情報を覆い隠す表示形式である、
ことを特徴とする［３］に記載の番組情報の表示制御装置。
【００５６】
［７］
前記第１の表示形式は、前記選択番組情報以外の番組情報を覆い隠さない表示形式であり、
前記第２の表示形式は、前記選択番組情報が属するチャンネルの番組情報の少なくとも一つの番組情報を覆い隠す表示形式である、
ことを特徴とする［３］に記載の番組情報の表示制御装置。
【００５７】
［８］
受信した放送信号から、指定チャンネルの信号を選局する選局手段を備え、
前記表示制御手段は、前記選局信号に基づく映像表示及び前記番組情報のリスト表示を制御する、
ことを特徴とする［１］に記載の映像受信装置。
【００５８】
［９］
各チャンネルの番組情報を受信し、
前記各チャンネルの番組情報のリスト表示を制御し、
入力された一つの番組情報の選択指示に基づいて、前記リスト表示上の１つの番組情報を選択し、
前記番組情報が選択されてから所定時間経過に基づいて、この選択された選択番組情報の第１の表示形式を第２の表示形式へ変更する番組情報の表示制御方法。
【符号の説明】
【００５９】
１…放送受信装置、２…映像音声出力装置、３…デジタルテレビジョン放送受信システム３、１０１…アンテナ、１０２…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ
【図１】
2011078140.tif 000003
【図２】
2011078140.tif 000004
【図３】
2011078140.tif 000005